(57)【特許請求の範囲】
【請求項１】
一端部外周面に螺旋凸条と、係合凹部を有するフランジが形成された合成樹脂製の管状接続部材と、一端部に管状接続部材に挿入可能な差し口部を、他端部に接続管を接続可能な管取付部をそれぞれ有する継手部材と、継手部材に離脱不能に、かつ、回転自在に装着され、管状接続部材の螺旋凸条に対応する螺旋凹溝が内周面に形成されるとともに、回り止め部材が設けられた袋ナットとから構成され、前記回り止め部材は、一端部が袋ナットに一体に連結された可動部および該可動部から袋ナットの端面を越えて軸芯方向に延出されるとともに、下面に管状接続部材のフランジの係合凹部と係合可能な係合爪を有する延出部からなり、管状接続部材に継手部材の差し口部を挿入するとともに、袋ナットを管状接続部材にねじ込んで回り止め部材の係合爪を管状接続部材のフランジの係合凹部に係合させることを特徴とする管状接続部材と継手部材との接続構造。
【請求項２】
一端部外周面に螺旋凸条と、係止突部を有するフランジが形成された合成樹脂製の管状接続部材と、一端部に管状接続部材に挿入可能な差し口部を、他端部に接続管を接続可能な管取付部をそれぞれ有する継手部材と、継手部材に離脱不能に、かつ、回転自在に装着され、管状接続部材の螺旋凸条に対応する螺旋凹溝が内周面に形成されるとともに、回り止め部材が設けられた袋ナットとから構成され、前記回り止め部材は、一端部が袋ナットに一体に連結された可動部および該可動部から袋ナットの端面を越えて軸芯方向に延出される延出部からなり、管状接続部材に継手部材の差し口部を挿入するとともに、袋ナットを管状接続部材にねじ込んで回り止め部材の延出部を管状接続部材のフランジの係止突部に係止させることを特徴とする管状接続部材と継手部材との接続構造。
【請求項３】
請求項１または２記載の管状接続部材と継手部材との接続構造において、前記管状接続部材の螺旋凸条がそれぞれ約３６０度にわたって形成された２条の螺旋凸条であり、また、前記袋ナットの螺旋凹溝がそれぞれ約３６０度にわたって形成された２条の螺旋凹溝であることを特徴とする管状接続部材と継手部材との接続構造。
【請求項４】
請求項１または２記載の管状接続部材と継手部材との接続構造において、前記袋ナットの外周面に周方向に間隔をおいて操作部が形成されることを特徴とする管状接続部材と継手部材との接続構造。
【請求項５】
請求項１または２記載の管状接続部材と継手部材との接続構造において、前記管状接続部材のフランジが略楕円状に形成されるとともに、その長軸方向にそれぞれの係合凹部または係止突部が形成されることを特徴とする管状接続部材と継手部材との接続構造。
【請求項６】
請求項１または２記載の管状接続部材と継手部材との接続構造において、前記回り止め部材の可動部が、一端が袋ナットに一体に連結された円弧状またはアーム状であることを特徴とする管状接続部材と継手部材との接続構造。
【請求項７】
請求項１乃至６のいずれか一つに記載の管状接続部材と継手部材との接続構造において、前記管状接続部材が合成樹脂製のヘッダーを構成するヘッダー本体部またはヘッダー本体部から突出する分岐接続部であることを特徴とする管状接続部材と継手部材との接続構造。
【発明の詳細な説明】
【技術分野】
【０００１】
この発明は、管状接続部材と継手部材との接続構造に関するものである。
【背景技術】
【０００２】
従来より、住宅の給水給湯配管システムとして、給水主管および給湯主管をそれぞれ金属製の給水ヘッダーおよび給湯ヘッダーに接続する一方、ヘッダーからたこ足状に分岐させた給水分岐管および給湯分岐管を各設備機器の接続部に一対一で接続するヘッダー工法が採用されている。
【０００３】
具体的には、ヘッダー配管システムは、住宅の床下空間に導かれた主管がヘッダーのヘッダー本体部に接続される一方、ヘッダーの各分岐接続部にそれぞれ分岐管が接続され、各分岐管が床下空間に巡らされて、各設備機器の接続部にそれぞれ接続されるものである。
【０００４】
このようなヘッダー配管システムにおいて、ヘッダーのヘッダー本体部および分岐接続部に主管および分岐管をそれぞれ接続する場合、管継手に主管および分岐管をそれぞれ接続し、管継手をヘッダー本体部および分岐接続部にねじ込んで接続する方式が、分岐管などの交換性などの観点から採用されている。
【０００５】
一方、近年、合成樹脂製のヘッダーが用いられるようになっているが、合成樹脂製のヘッダーに対してねじ結合すると、ねじ部に大きな力が作用し、強度上不利である。このため、合成樹脂製のヘッダーを用いる場合には、特許文献１に示されるように、フランジを互いに突き合わせたヘッダー本体部と管継手および分岐接続部と管継手を弾性接続金具を用いて接続するファスナー接続と呼ばれる方法が採用されている。
【０００６】
また、合成樹脂製ヘッダーの課題である分岐接続部の拡開防止に対して、特許文献２に示されるように、拡開防止部を備えた栓を分岐接続部にねじ結合することも提案されている。
【特許文献１】特開２００５−１８８６８２号公報
【特許文献２】特許第３５７８６９６号公報
【発明の開示】
【発明が解決しようとする課題】
【０００７】
ところで、特許文献１の弾性接続金具としては、ステンレス鋼板からなるバネ材を用いることが一般的である。しかしながら、このような弾性接続金具を用いてヘッダーのヘッダー本体部と管継手および分岐接続部と管継手を接続した場合、例えば、水栓を急閉止した際にウオーターハンマー現象が発生すると、ヘッダーと管継手との接続部には、互いに離脱しようとする引き抜き力が作用する。これにより、金属製の管継手と比較して強度が不足する樹脂製ヘッダーのフランジが損傷するおそれがある。
【０００８】
このため、特許文献１においては、フランジを形成する環状溝に補強リングを装着するようにしているが、補強リングの厚みが小さい場合、環状溝への装着は容易となるが、装着時に変形したり、補強効果が小さく、フランジに作用する引き抜き力を分散させる効果は小さくなる。特に、エンジニアリングプラスチックのように、高温での強度が比較的高いプラスチックで成形されている場合は問題ないが、オレフィン系、塩ビなどの汎用の樹脂からヘッダーが成形されている場合には、強度的に適用することはできない。
【０００９】
逆に、補強リングの厚みが大きい場合には、容易に変形させることができず、装着が容易でないという欠点がある。しかも、補強リングの厚みが大きい場合には、ヘッダーと管継手との接続部の変形は発生しにくいが、弾性接続金具によって外径が規定されることから、その分、フランジの樹脂の厚みが薄くなり、強度低下を引き起こすものとなる。
【００１０】
一方、特許文献２の接続構造においては、分岐接続部の拡開による止水性の低下を防止することはできるものの、ねじ結合部の破損については、未だ課題が残るものである。すなわち、汎用の樹脂である架橋ポリエチレンでヘッダーが成形された場合、ねじを過剰に締め込んだ場合、ねじが破損するおそれがある。一方、ねじの締め込みが不足した場合には、内水圧による軸方向抜け力、脈動水圧による振動や衝撃などによってねじが緩み、最悪の場合には、ヘッダーの分岐接続部から栓が軸方向に抜け出すおそれがある。
【００１１】
このため、特許文献２においては、ねじの緩み防止対策として、ヘッダーのヘッダー本体部に栓の先端に対応して回転防止突起を形成する一方、栓の先端に回転防止部を形成し、栓を設定位置までねじ込むことにより、回転防止突起に回転防止部を係合させるようにしている。しかしながら、ねじの緩み回転力は、ねじのピッチが大きくなればなるほど大きく、樹脂製のヘッダーにおける回転防止突起の強度に不安がある。逆に、ねじのピッチが小さくなれば、回転力は低下するものの、ねじをねじ込む際の１回転当たりの軸方向移動量が小さくなり、回転防止突起の高さを大きくすることができない。このように、特許文献２の緩み防止構造には強度的に問題が残るものである。
【００１２】
なお、強度面を考慮して、回転防止突起に対する回転防止部の係合を強くすると、ヘッダーからの栓の離脱が困難となったり、回転防止突起が弾性限界を超えて破損し、ヘッダーを交換しなければならない事態を招来するおそれがある。
【００１３】
本発明は、このような問題点に鑑みてなされたもので、ねじの緩みおよび破損を確実に防止して樹脂製のヘッダーなどの管状接続部材と継手部材とをねじ結合によって接続することのできる管状接続部材と管継手との接続構造を提供するものである。
【課題を解決するための手段】
【００１４】
本発明は、一端部外周面に螺旋凸条と、係合凹部を有するフランジが形成された合成樹脂製の管状接続部材と、一端部に管状接続部材に挿入可能な差し口部を、他端部に接続管を接続可能な管取付部をそれぞれ有する継手部材と、継手部材に離脱不能に、かつ、回転自在に装着され、管状接続部材の螺旋凸条に対応する螺旋凹溝が内周面に形成されるとともに、回り止め部材が設けられた袋ナットとから構成され、前記回り止め部材は、一端部が袋ナットに一体に連結された可動部および該可動部から袋ナットの端面を越えて軸芯方向に延出されるとともに、下面に管状接続部材のフランジの係合凹部と係合可能な係合爪を有する延出部からなり、管状接続部材に継手部材の差し口部を挿入するとともに、袋ナットを管状接続部材にねじ込んで回り止め部材の係合爪を管状接続部材のフランジの係合凹部に係合させることを特徴とするものである。
【００１５】
本発明によれば、継手部材の差し口部を管状接続部材の開口端部に挿入した後、袋ナットを管状接続部材にねじ込む。これにより、袋ナットの螺旋凹溝が管状接続部材の螺旋凸条に螺合し、設定角度回転すれば、袋ナットがフランジの側面に当接して周方向および軸芯方向に位置決めされ、それ以上の回転が阻止される。一方、袋ナットのねじ込みに伴って、袋ナットに設けられた回り止め部材の係合爪は、分岐接続部のフランジ周縁に接触した後、可動部が拡開するように弾性変形し、フランジ周面に乗り上げる。次いで、回り止め部材の係合爪がフランジ周面に沿って摺動し、ついには、フランジの係合凹部に落ち込んで係合すると同時に、回り止め部材の弾性変形が解消され、元の形状に復帰する。
【００１６】
この結果、管状接続部材には、継手部材の差し口部が挿入されるとともに、継手部材の袋ナットがねじ結合されることにより、水圧により管状接続部材が拡開し、止水性が低下することを防止できる。また、袋ナットが管状接続部材のフランジに当接してそれ以上のねじ込みが阻止される一方、袋ナットに設けられた回り止め部材の係合爪が管状接続部材のフランジに形成された係合凹部に係合して周方向の移動が阻止される。このため、管状接続部材に対する袋ナットの回転が回り止め部材を介して阻止され、内水圧による軸方向抜け力、脈動水圧による振動や衝撃などによっても、袋ナットが回転して緩むことがなく、継手部材が抜けたり、漏水が発生することを確実に防止できる。
【００１７】
しかも、継手部材の差し口部を管状接続部材に挿入して、工具などを用いることなく袋ナットを設定角度回転させるといった簡単な操作によって、袋ナットをフランジに当接させるとともに、フランジの係合凹部に回り止め部材の係合爪を係合させることができることから、接続作業をきわめて容易に行うことができる。また、袋ナットを過剰にねじ込むことによる螺旋凸条および螺旋凹溝の破損も発生しない他、係合凹部と係合爪との係合を目視観察で確認することができるとともに、回り止め部材が弾性変形状態から復元する際の袋ナットに着座する際の着座音によっても確認することができ、ねじ込み不足を発生することもない。
【００１８】
ここで、管状接続部材を成形する合成樹脂としては、特に限定されないが、例えば、高温での強度を必要とするときには、ポリエーテルサルフォン、ポリフェニルサルフォンなどのエンジニアリングプラスチックを用いることが好ましい。一方、給水など、特に、高温での強度を必要としないときには、塩化ビニルや、架橋ポリエチレン、ポリプロピレン、ポリブデンなどのオレフィン系樹脂を使用してもよい。
【００１９】
また、継手部材としては、金属製でも構わないが、樹脂製の場合には、給水などの温度が低い場合には、塩化ビニル、ポリブデン、架橋ポリエチレン、ポリエチレンなどを用いることができ、給湯などの温度が高い場合には、エンジニアリングプラスチック、例えば、ポリアセタール、ポリエーテルサルフォン、ポリフェニレンスルフィド、ポリサルフォン、ポリフェニルサルフォンなどを用いればよい。
【００２０】
さらに、袋ナットを成形する合成樹脂としては、給湯用など、高温となる場合には、ポリアセタール、ポリエーテルサルフォン、ポリフェニレンスルフィド、ポリサルフォン、ポリフェニルサルフォンなどのエンジニアリングプラスチックを用いることが望ましい。一方、給水用など、温度が高くない場合には、塩化ビニル、ポリブデン、架橋ポリエチレン、ポリエチレンなどの汎用樹脂を採用することができる。
【００２１】
本発明は、一端部外周面に螺旋凸条と、係止突部を有するフランジが形成された合成樹脂製の管状接続部材と、一端部に管状接続部材に挿入可能な差し口部を、他端部に接続管を接続可能な管取付部をそれぞれ有する継手部材と、継手部材に離脱不能に、かつ、回転自在に装着され、管状接続部材の螺旋凸条に対応する螺旋凹溝が内周面に形成されるとともに、回り止め部材が設けられた袋ナットとから構成され、前記回り止め部材は、一端部が袋ナットに一体に連結された可動部および該可動部から袋ナットの端面を越えて軸芯方向に延出される延出部からなり、管状接続部材に継手部材の差し口部を挿入するとともに、袋ナットを管状接続部材にねじ込んで回り止め部材の延出部を管状接続部材のフランジの係止突部に係止させることを特徴とするものである。
【００２２】
本発明によれば、継手部材の差し口部を管状接続部材の開口端部に挿入した後、袋ナットを管状接続部材にねじ込む。これにより、袋ナットの螺旋凹溝が管状接続部材の螺旋凸条に螺合し、設定角度回転すれば、袋ナットがフランジの側面に当接して周方向および軸芯方向に位置決めされ、それ以上の回転が阻止される。一方、袋ナットのねじ込みに伴って、袋ナットに設けられた回り止め部材の延出部は、分岐接続部のフランジ周縁に接触した後、可動部が拡開するように弾性変形し、フランジ周面に乗り上げる。次いで、回り止め部材の延出部がフランジ周面に沿って摺動し、ついには、フランジの係止突部に係止すると同時に、回り止め部材の弾性変形が解消され、元の形状に復帰する。
【００２３】
この結果、管状接続部材には、継手部材の差し口部が挿入されるとともに、継手部材の袋ナットがねじ結合されることにより、水圧により管状接続部材が拡開し、止水性が低下することを防止できる。また、袋ナットが管状接続部材のフランジに当接してそれ以上のねじ込みが阻止される一方、袋ナットに設けられた回り止め部材の延出部が管状接続部材のフランジに形成された係止突部に係止して周方向の移動が阻止される。このため、管状接続部材に対する袋ナットの回転が回り止め部材を介して阻止され、内水圧による軸方向抜け力、脈動水圧による振動や衝撃などによっても、袋ナットが回転して緩むことがなく、継手部材が抜けたり、漏水が発生することを確実に防止できる。
【００２４】
しかも、継手部材の差し口部を管状接続部材に挿入して、工具などを用いることなく袋ナットを設定角度回転させるといった簡単な操作によって、袋ナットをフランジに当接させるとともに、フランジの係止突部に回り止め部材の延出部を係止させることができることから、接続作業をきわめて容易に行うことができる。また、袋ナットを過剰にねじ込むことによる螺旋凸条および螺旋凹溝の破損も発生しない他、係止突部と延出部との係止を目視観察で確認することができるとともに、回り止め部材が弾性変形状態から復元する際の袋ナットに着座する際の着座音によっても確認することができ、ねじ込み不足を発生することもない。
【００２５】
ここで、管状接続部材を成形する合成樹脂としては、特に限定されないが、例えば、高温での強度を必要とするときには、ポリエーテルサルフォン、ポリフェニルサルフォンなどのエンジニアリングプラスチックを用いることが好ましい。一方、給水など、特に、高温での強度を必要としないときには、塩化ビニルや、架橋ポリエチレン、ポリプロピレン、ポリブデンなどのオレフィン系樹脂を使用してもよい。
【００２６】
また、継手部材としては、金属製でも構わないが、樹脂製の場合には、給水などの温度が低い場合には、塩化ビニル、ポリブデン、架橋ポリエチレン、ポリエチレンなどを用いることができ、給湯などの温度が高い場合には、エンジニアリングプラスチック、例えば、ポリアセタール、ポリエーテルサルフォン、ポリフェニレンスルフィド、ポリサルフォン、ポリフェニルサルフォンなどを用いればよい。
【００２７】
さらに、袋ナットを成形する合成樹脂としては、給湯用など、高温となる場合には、ポリアセタール、ポリエーテルサルフォン、ポリフェニレンスルフィド、ポリサルフォン、ポリフェニルサルフォンなどのエンジニアリングプラスチックを用いることが望ましい。一方、給水用など、温度が高くない場合には、塩化ビニル、ポリブデン、架橋ポリエチレン、ポリエチレンなどの汎用樹脂を採用することができる。
【００２８】
本発明において、前記管状接続部材の螺旋凸条がそれぞれ約３６０度にわたって形成された２条の螺旋凸条であり、また、前記袋ナットの螺旋凹溝がそれぞれ約３６０度にわたって形成された２条の螺旋凹溝であることが好ましい。これにより、袋ナットを約１８０度回転させることで分岐接続部のフランジに当接させることができるとともに、回り止め部材の係合爪または回り止め部材の延出部をフランジの係合凹部に係合または係止突部に係止させることができ、ほぼワンタッチで接続作業を行うことができる。
【００２９】
本発明において、前記袋ナットの外周面に周方向に間隔をおいて操作部が形成されることが好ましい。これにより、袋ナットを容易に回転させることができる。
【００３０】
本発明において、前記管状接続部材のフランジが略楕円状に形成されるとともに、その長軸方向にそれぞれの係合凹部または係止突部が形成されることが好ましい。これにより、回り止め部材の係合爪または回り止め部材の延出部を分岐接続部のフランジの短軸方向側から外周面に乗り上げることが可能となり、係合爪または延出部をフランジの外周面に容易に導くことができる。
【００３１】
本発明において、前記回り止め部材の可動部が、一端が袋ナットに一体に連結された円弧状またはアーム状であることが好ましい。
【００３２】
本発明において、前記管状接続部材が合成樹脂製のヘッダーを構成するヘッダー本体部またはヘッダー本体部から突出する分岐接続部であることが好ましい。
【発明の効果】
【００３３】
本発明によれば、ねじの緩みおよび破損を確実に防止して樹脂製のヘッダーなどの管状接続部材と継手部材とをねじ結合によって接続することができる。
【発明を実施するための最良の形態】
【００３４】
以下、本発明の実施の形態を図面に基づいて説明する。
【００３５】
図１には、本発明の管状接続部材と継手部材との接続構造の一実施形態が示されている。
【００３６】
この実施形態の接続構造は、合成樹脂製のヘッダー１０と、ヘッダー１０における管状接続部材としての分岐接続部１２に接続可能な継手部材２０と、継手部材２０に回転可能に、かつ、離脱不能に装着された袋ナット３０とから構成されている。
【００３７】
ヘッダー１０は、一端部が閉鎖されるとともに、他端部が開口された略円筒状のヘッダー本体部１１と、ヘッダー本体部１１の外周面から突出された複数個の分岐接続部１２とからなり、ヘッダー本体部１１および各分岐接続部１２には、その開口端部外周面にそれぞれ２条の螺旋凸条１３，１４がそれぞれ約３６０度にわたって形成されるとともに、２条の螺旋凸条１３，１４に続いて略楕円状のフランジ１５，１６が形成されている。そして、ヘッダー本体部１１および各分岐接続部１２のフランジ１５，１６には、長軸方向にそれぞれ長軸方向の径よりも小径の円弧状係合凹部１５１，１６１が形成されている。
【００３８】
この実施形態においては、ヘッダー１０におけるヘッダー本体部１１のフランジ１５および分岐接続部１２のフランジ１６の長軸方向が水平方向を向くように形成されている。したがって、ヘッダー本体部１１のフランジ１５および各分岐接続部１２のフランジ１６に形成された係合凹部１５１，１６１は、水平方向に対向して左右にそれぞれ形成されている。
【００３９】
以下、各分岐接続部１２の開口端部に対する継手部材２０の接続構造について説明する。
【００４０】
ここで、ヘッダー１０を成形する合成樹脂としては、給水用と給湯用にも同時使用可能で、低コストの架橋ポリエチレンを採用している。
【００４１】
継手部材２０は、図２に示すように、一端部に分岐接続部１２に挿入可能な差し口部２１を有するとともに、他端部に接続管としての分岐管（図示せず）を取付可能な管取付部２２を有し、差し口部２１に管取付部２２を一体に連結することによって形成される公知のワンタッチ継手構造（特許第３８４３２２８号公報参照）であり、真ちゅうや青銅、または、これら金属と合成樹脂の複合構造や合成樹脂などから製造されている。そして、差し口部２１に管取付部２２を一体に連結して継手部材２０を製造する際、袋ナット３０を差し口部２１に装着した後、管取付部２２を連結することにより、継手部材２０に対して袋ナット３０が離脱不能に、かつ、回転可能に装着されるものである。
【００４２】
袋ナット３０は、図３および図４に詳細に示すように、分岐接続部１２の開口端部外周面の外径に対応する内径の内周面およびフランジ１６の短軸方向の径よりも小径の外周面を有するナット本体部３１と、ナット本体部３１の内周面よりも小径の抜け止め部３２とからなり、継手部材２０の差し口部２１をナット本体部３１を通して抜け止め部３２に挿通し、差し口部２１に管取付部３２を連結することにより、継手部材２０に離脱不能に、かつ、回転自在に保持されている。そして、袋ナット３０のナット本体部３１の内周面には、分岐接続部１２の開口端部外周面に形成された２条の螺旋凸条１４に螺合可能な２条の螺旋凹溝３３がそれぞれ約３６０度にわたって形成される一方、その外周面には、抜け止め部３２側の半部において、半径方向に突出する操作部３４が周方向に９０度の間隔をおいて形成されるとともに、抜け止め部３２とは反対側の半部において一対の回り止め部材３５が１８０度の間隔をおいて設けられている。
【００４３】
この操作部３４は、対向する一方の一対が２個隣接して突出され、対向する他方の一対が１個のみ突出されている。
【００４４】
また、各回り止め部材３５は、一端部がナット本体部３１の外周面において１個突出された操作部３４に対向する位置に一体に連結され、分岐接続部１２のフランジ１６の長軸方向の径にほぼ一致する外径の外周面を有して、ナット本体部３１の外周面に沿って約９０度の範囲にわたって延設された円弧状可動部３６と、該可動部３６の他端部、すなわち、２個突出された操作部３４に対向する位置の側端面からナット本体部３１の端面を越えて軸芯方向に延出して形成され、分岐接続部１２のフランジ１６に形成された係合凹部１６１の周方向の長さに対応する長さを有する延出部３７とからなり、延出部３７の下面には、その周方向の長さにわたってフランジ１６の係合凹部１６１の段差に略相当する高さの係合爪３８が形成されている。
【００４５】
そして、延出部３７および係合爪３８は、その側端面が、螺旋凸条１４（螺旋凹溝３３）のリード角に対応してねじ込み方向に軸芯方向の延出長さが漸増する傾斜面３７ａ（図４参照）に形成される一方、係合爪３８の側端面側下半部が面取りされるとともに、側端面の下端縁および先端面の下端縁、それらが交差する辺がＲ加工されている。これにより、係合爪３８は、フランジ１６の周縁を経て容易に外周面に乗り上げることができる。
【００４６】
なお、袋ナット３０の２条の螺旋凹溝３３および分岐接続部１２の２条の螺旋凸条１４は、袋ナット３０を分岐接続部１２にねじ込んで約１８０度回転させた際、袋ナット３０のナット本体部３１の端面が分岐接続部１２のフランジ１６の側面に当接して周方向および軸芯方向に位置決めされるとともに、２個突出された操作部３４がフランジ１６の係合凹部１６１にそれぞれ対向するように設定されている。
【００４７】
袋ナット３０を成形する合成樹脂としては、ポリアセタール、ポリエーテルサルフォン、ポリフェニレンスルフィド、ポリサルフォン、ポリフェニルサルフォンなどのエンジニアリングプラスチックを用いることが望ましい。
【００４８】
次に、ヘッダー１０の分岐接続部１２に継手部材２０を接続する施工要領について説明する。
【００４９】
まず、袋ナット３０が装着された継手部材２０の管取付部２２に図示しない分岐管を差し込んで接続するとともに、継手部材２０の差し口部２１をヘッダー１０の分岐接続部１２の開口端部に挿入した後、操作部３４を利用して分岐接続部１２に袋ナット３０をねじ込む。これにより、袋ナット３０の２条の螺旋凹溝３３が分岐接続部１２の２条の螺旋凸条１４に螺合し、ほぼ半回転すれば、袋ナット３０のナット本体部３１の端面が分岐接続部１２のフランジ１６の側面に当接して周方向および軸芯方向に位置決めされ、それ以上のねじ込みが阻止される。この際、袋ナット３０の一対の回り止め部材３５の延出部３７にそれぞれ設けられた係合爪３８がフランジ１６の各係合凹部１６１にそれぞれ落ち込んで係合する。
【００５０】
すなわち、袋ナット３０のねじ込みを開始すると、袋ナット３０は、螺旋凸条１４（螺旋凹溝３３）のリード角によって軸芯方向に移動し、略９０度回転すると、係合爪３８の先端側側端縁が分岐接続部１２のフランジ１６の短軸方向の周縁に接触する。この場合、係合爪３８の側端面は、螺旋凸条１４（螺旋凹溝３３）のリード角に対応する傾斜面３７ａに形成されるとともに、側端面の下部が面取りされ、先端面および側端面の下端縁、それらが交差する辺がＲ加工されていることにより、係合爪３８の先端側側端縁はフランジ１６の短軸方向の周縁に点接触する。なおも、袋ナット３０のねじ込みを継続すると、回り止め部材３５の係合爪３８が分岐接続部１２のフランジ１６に押し当てられ、分岐接続部１２のフランジ１６の外周面に乗り上げる。この際、回り止め部材３５の可動部３６が、一端部を中心として他端部である係合爪３８が設けられた延出部３７側が袋ナット３０の外周面から浮き上がって拡開するように弾性変形し、係合爪３８のフランジ１６外周面への乗り上げを許容する。そして、袋ナット３０をほぼ９０度回転させると、回り止め部材３５の係合爪３８がフランジ１６の外周面に沿って摺動し、フランジ１６の係合凹部１６１に落ち込んで係合すると同時に、可動部３６が弾性によって袋ナット３０の外周面に沿う元の形状に復元する。
【００５１】
この場合、回り止め部材３５は、袋ナット３０に１８０度の間隔をおいて一対設けられていることから、各回り止め部材３５にそれぞれ設けられた係合爪３８は、１８０度の間隔をおいて分岐接続部１２のフランジ１６に１８０度の間隔をおいて形成された一対の係合凹部１６１にそれぞれ係合される。
【００５２】
この結果、ヘッダー１０の分岐接続部１２の開口端部には、継手部材２０の差し口部２１が挿入されるとともに、継手部材２０に装着された袋ナット３０がねじ結合されることにより、ヘッダー１０内の水圧により分岐接続部１２の開口端部が拡開し、止水性が低下することを防止できる。また、袋ナット３０が分岐接続部１２のフランジ１６に当接してそれ以上のねじ込みが阻止される一方、袋ナット３０に設けられた一対の回り止め部材３５の各係合爪３８が分岐接続部１２のフランジ１６に１８０度隔てて形成された各係合凹部１６１にそれぞれ係合して周方向の移動が阻止されることにより、分岐接続部１２に対する袋ナット３０の回転が阻止され、内水圧による軸方向抜け力、脈動水圧による振動や衝撃などによっても、袋ナット３０が回転して緩むことがなく、継手部材２０が抜けたり、漏水が発生することを確実に防止できる。
【００５３】
しかも、継手部材２０の差し口部２１を分岐接続部１２に挿入して、工具を用いることなく袋ナット３０を略１８０度だけ回転させる簡単な操作によって、袋ナット３０を分岐接続部１２のフランジ１６に当接させるとともに、回り止め部材３５の係合爪３８をフランジ１６の係合凹部１６１に係合させることができることから、係合爪３８と係合凹部１６１との位置関係を考慮することなく接続作業をきわめて容易に行うことができる。また、袋ナット３０の過剰のねじ込みによる螺旋凸条１４および螺旋凹溝３３の破損も発生しない他、係合凹部１６１と係合爪３８との係合を目視観察で確認することができるとともに、回り止め部材３５が弾性変形状態から復元して、袋ナット３０に着座する際のカチッという着座音によって確認することができ、ねじ込み不足を発生することもない。
【００５４】
さらに、袋ナット３０の成形の際、回り止め部材３５を一体に形成することができ、安価に製造することができるとともに、回り止め部材を別体に設ける場合に比較して、回り止め部材の装着忘れといった施工ミスを生じることもない。
【００５５】
一方、ヘッダー１０の分岐接続部１２から継手部材２０を離脱させる場合は、一対の回り止め部材３５の各延出部３７にそれぞれ指を当てて跳ね上げるとともに、操作部３４を利用して、分岐接続部１２の螺旋凸条１４と袋ナット３０の螺旋凹溝３３との螺合を緩める方向に袋ナット３０を回転させる。これにより、袋ナット３０がフランジ１６から離隔する方向に移動し、その際、係合爪３８がフランジ１６の外周面に沿って摺動しつつその側面側に滑落し、略１８０度回転すれば、分岐接続部１２の螺旋凸条１４と袋ナット３０の螺旋凹溝３３との螺合が解除される。
【００５６】
したがって、前述とは逆に、袋ナット３０をねじ込み方向とは逆方向に約１８０度回転させることにより、分岐接続部１２と袋ナット３０とのねじ結合が解消される。この後、継手部材２０の差し口部２１を分岐接続部１２より引き抜くことにより、袋ナット３０が装着された継手部材２０を分岐接続部１２から離脱させることができる。このため、現場での継手部材２０の変更、リフォーム、更新などに容易に対応することができる。
【００５７】
なお、袋ナット３０としては、前述した実施例に限定されるものではなく、以下、袋ナット３０の変形例について、図５乃至図８に基づいて説明するが、同一の部材については同一の符号を付して詳細な説明を省略する。
【００５８】
袋ナット３０の第１の変形例は、図５および図６に示すように、回り止め部材３５を変更したものである。すなわち、回り止め部材３５の可動部３６は、２個突設された操作部３４に各一端部がそれぞれ一体に連結され、他端がナット本体部３１の端面を越えて軸芯方向に延出された一対のアーム状可動部で形成され、各一対のアーム状可動部３６の他端に、下面に係合爪３８を設けた延出部３７が一体に形成されている。
【００５９】
したがって、このような回り止め部材３５を設けた袋ナット３０を分岐接続部１２の開口端部にねじ込み、略９０度回転させた場合、袋ナット３０は、螺旋凸条１４（螺旋凹溝３３）のリード角によって軸芯方向に移動し、係合爪３８の先端側側端縁が分岐接続部１２のフランジ１６の短軸方向の周縁に点接触する。なおも、袋ナット３０のねじ込みを継続すると、回り止め部材３５の係合爪３８が分岐接続部１２のフランジ１６に押し当てられ、分岐接続部１２のフランジ１６の外周面に乗り上げる。この際、回り止め部材３５のアーム状可動部３６が、操作部３４との連結部を中心として他端部、すなわち、係合爪３８が設けられた延出部３７側が袋ナット３０の外周面から浮き上がって拡開するように弾性変形し、係合爪３８のフランジ１６外周面への乗り上げを許容する。そして、袋ナット３０をほぼ９０度回転させると、回り止め部材３５の係合爪３８がフランジ１６の外周面に沿って摺動し、フランジ１６の係合凹部１６１に落ち込んで係合すると同時に、アーム状可動部３６が弾性によって袋ナット３０の外周面に沿う元の形状に復元する。
【００６０】
この場合も、回り止め部材３５は、袋ナット３０に１８０度の間隔をおいて一対設けられていることから、各回り止め部材３５にそれぞれ設けられた係合爪３８は、１８０度の間隔をおいて分岐接続部１２のフランジ１６に１８０度の間隔をおいて形成された一対の係合凹部１６１にそれぞれ係合される。
【００６１】
袋ナット３０の第２の変形例は、図７および図８に示すように、操作部３４および回り止め部材３５を変更したものである。すなわち、操作部３４としては、袋ナット３０をねじ込む際、任意の位置を把握して容易に回転操作することができるように、周方向に６０度の間隔をおいて半径方向に膨出する断面略三角形状に形成されている。
【００６２】
また、回り止め部材３５の可動部３６は、１８０度間隔をおいて対向する各操作部３４にそれぞれ一端部が一体に連結され、他端がナット本体部３１の端面を越えて軸芯方向に延出された１本のアーム状可動部で形成され、各アーム状可動部３６の他端に、下面に係合爪３８を設けた延出部３７がねじ込み方向に突出させて一体に連結されている。
【００６３】
したがって、このような回り止め部材３５を設けた袋ナット３０を分岐接続部１２の開口端部にねじ込み、略９０度回転させた場合、袋ナット３０は、螺旋凸条１４（螺旋凹溝３３）のリード角によって軸芯方向に移動し、係合爪３８の先端側側端縁が分岐接続部１２のフランジ１６の短軸方向の周縁に点接触する。なおも、袋ナット３０のねじ込みを継続すると、回り止め部材３５の係合爪３８が分岐接続部１２のフランジ１６に押し当てられ、分岐接続部１２のフランジ１６の外周面に乗り上げる。この際、回り止め部材３５のアーム状可動部３６が、操作部３４との連結部を中心として他端部、すなわち、係合爪３８を設けた延出部３７側が袋ナット３０の外周面から浮き上がって拡開するように弾性変形し、係合爪３８のフランジ１６外周面への乗り上げを許容する。そして、袋ナット３０をほぼ９０度回転させると、回り止め部材３５の係合爪３８がフランジ１６の外周面に沿って摺動し、フランジ１６の係合凹部１６１に落ち込んで係合すると同時に、アーム状可動部３６が弾性によって袋ナット３０の外周面に沿う元の形状に復元する。
【００６４】
この場合も、回り止め部材３５は、袋ナット３０に１８０度の間隔をおいて一対設けられていることから、各回り止め部材３５にそれぞれ設けられた係合爪３８は、１８０度の間隔をおいて分岐接続部１２のフランジ１６に１８０度の間隔をおいて形成された一対の係合凹部１６１にそれぞれ係合される。また、袋ナット３０をねじ込む際、操作部３４の間隔が狭まることにより、任意の操作部３４を把握して容易に回転操作することができる。
【００６５】
次に、本発明の管状接続部材と継手部材との接続構造の他の実施形態について、図９乃至図１１に基づいて説明する。
【００６６】
この実施形態の接続構造も、合成樹脂製のヘッダー１０と、ヘッダー１０における管状接続部材としての分岐接続部１２に接続可能な継手部材２０と、継手部材２０に回転可能に、かつ、離脱不能に装着された袋ナット３０とから構成されている。
【００６７】
なお、継手部材２０は先に説明した継手部材２０と同一であり、同一の部材に同一の符号を付して詳細な説明を省略する。また、袋ナット３０も同様の構造であり、主に相違する点について説明する。
【００６８】
ヘッダー１０は、一端部が閉鎖されるとともに、他端部が開口された略円筒状のヘッダー本体部１１と、ヘッダー本体部１１の外周面から突出された複数個の分岐接続部１２とからなり、ヘッダー本体部１１および各分岐接続部１２には、その開口端部外周面にそれぞれ２条の螺旋凸条１３，１４がそれぞれ約３６０度にわたって形成されるとともに、２条の螺旋凸条１３，１４に続いて略楕円状のフランジ１５，１６が形成されている。そして、ヘッダー本体部１１および各分岐接続部１２のフランジ１５，１６には、図１０に示すように、長軸方向に長軸方向の径よりも大径となる係止突部１５２，１６２が形成されている。この係止突部１５２，１６２は、袋ナット３０のねじ込み方向における短軸側から長軸側にかけて長軸方向の径を越えて滑らかに漸増する外周面を有している。また、ヘッダー本体部１１のフランジ１５および各分岐接続部１２のフランジ１６には、袋ナット３０のねじ込み方向における短軸側から長軸側にかけて開口端側の外周縁がＲ加工されている。
【００６９】
この実施形態においては、ヘッダー１０におけるヘッダー本体部１１におけるフランジ１５および分岐接続部１２のフランジ１６の長軸方向が垂直方向を向くように形成されている。したがって、ヘッダー本体部１１のフランジ１５および各分岐接続部１２のフランジ１６に形成された係止突部１５２，１６２は、垂直方向に対向して上下にそれぞれ形成されている。
【００７０】
以下、各分岐接続部１２の開口端部に対する継手部材２０の接続構造について説明するが、ヘッダー本体部１１に対する接続構造も、分機接続部１２に対する接続構造と口径が相違する以外同一であり、ヘッダー本体部１１に対する接続構造については、詳細な説明を省略する。
【００７１】
袋ナット３０は、図１１に詳細に示すように、分岐接続部１２の開口端部外周面の外径に対応する内径の内周面およびフランジ１６の短軸方向の径よりも小径の外周面を有するナット本体部３１と、ナット本体部３１の内周面よりも小径の抜け止め部３２とからなり、継手部材２０に離脱不能に、かつ、回転自在に保持されている。そして、袋ナット３０のナット本体部３１の内周面には、分岐接続部１２の開口端部外周面に形成された２条の螺旋凸条１４に螺合可能な２条の螺旋凹溝３３がそれぞれ約３６０度にわたって形成される一方、その外周面には、抜け止め部３２側の半部において、半径方向に断面略三角形状に膨出する操作部３４が周方向に６０度の間隔をおいて形成されるとともに、抜け止め部３１とは反対側の半部において一対の回り止め部材３５が１８０度の間隔をおいて設けられている。
【００７２】
また、各回り止め部材３５は、一端部がナット本体部３１の外周面において操作部３４に対向する位置に一体に連結され、分岐接続部１２のフランジ１６の長軸方向の径にほぼ一致する外径の外周面を有して、ナット本体部３１の外周面に沿って約６０度の範囲にわたって延設された円弧状可動部３６と、該可動部３６の他端部、すなわち、隣接する操作部３４に対向する位置の側端面からナット本体部３１の端面を越えて軸芯方向に延出して形成され、分岐接続部１２のフランジ１６に形成された係止突部１６２に係合可能な延出部３７とからなり、延出部３７の厚みは、フランジ１６の係止突部１６２の高さに略相当するように設定されている。
【００７３】
そして、延出部３７は、その側端面が、螺旋凸条１４（螺旋凹溝３３）のリード角に対応してねじ込み方向に軸芯方向の延出長さが漸増するように傾斜するとともに、その下端縁が面取りされる傾斜面３７ｂ（図１１（ｃ）参照）に形成されるとともに、先端面の下端縁がＲ加工されている。これにより、延出部３７は、フランジ１６のＲ加工された周縁を経て容易に外周面に乗り上げることができる。
【００７４】
なお、袋ナット３０の２条の螺旋凹溝３３および分岐接続部１２の２条の螺旋凸条１４は、袋ナット３０を分岐接続部１２にねじ込んで約１８０度回転させた際、袋ナット３０のナット本体部３１の端面が分岐接続部１２のフランジ１６の側面に当接して周方向および軸芯方向に位置決めされるように設定されている。
【００７５】
次に、ヘッダー１０の分岐接続部１２に継手部材２０を接続する施工要領について説明する。
【００７６】
まず、袋ナット３０が装着された継手部材２０の管取付部２２に図示しない分岐管を差し込んで接続するとともに、継手部材２０の差し口部２１をヘッダー１０の分岐接続部１２の開口端部に挿入した後、操作部３４を利用して分岐接続部１２に袋ナット３０をねじ込む。この際、任意の操作部３４を把握して容易に回転操作することができる。これにより、袋ナット３０の２条の螺旋凹溝３３が分岐接続部１２の２条の螺旋凸条１４に螺合し、ほぼ半回転すれば、袋ナット３０のナット本体部３１の端面が分岐接続部１２のフランジ１６の側面に当接して周方向および軸芯方向に位置決めされ、それ以上のねじ込みが阻止される。この際、袋ナット３０の一対の回り止め部材３５の延出部３７がフランジ１６の各係止突部１６２にそれぞれ係止する。
【００７７】
すなわち、袋ナット３０のねじ込みを開始すると、袋ナット３０は、螺旋凸条１４（螺旋凹溝３３）のリード角によって軸芯方向に移動し、略９０度回転すると、延出部３７の先端側側端縁が分岐接続部１２のフランジ１６の短軸方向の周縁に接触する。この場合、延出部３７の側端面は、螺旋凸条１４（螺旋凹溝３３）のリード角に対応してねじ込み方向に軸芯方向の延出長さが漸増するように傾斜するとともに、その下端縁が面取りされる傾斜面３７ｂに形成され、また、先端面の下端縁がＲ加工されていることにより、延出部３７の先端側側端縁はフランジ１６の短軸方向の周縁に点接触する。なおも、袋ナット３０のねじ込みを継続すると、回り止め部材３５の延出部３７が分岐接続部１２のフランジ１６に押し当てられ、分岐接続部１２のフランジ１６のＲ加工された周縁を経て外周面に乗り上げる。この際、回り止め部材３５の可動部３６が、一端部を中心として他端部である延出部３７側が袋ナット３０の外周面から浮き上がって拡開するように弾性変形し、延出部３７のフランジ１６外周面への乗り上げを許容する。そして、袋ナット３０をほぼ９０度回転させると、回り止め部材３５の延出部３７がフランジ１６の外周面に沿って摺動し、フランジ１６の係止突部１６２を乗り越えて係止すると同時に、可動部３６が弾性によって袋ナット３０の外周面に沿う元の形状に復元する。
【００７８】
この場合、回り止め部材３５は、袋ナット３０に１８０度の間隔をおいて一対設けられていることから、各回り止め部材３５の延出部３７は、１８０度の間隔をおいて分岐接続部１２のフランジ１６に１８０度の間隔をおいて形成された一対の係止突部１６２にそれぞれ係止される。
【００７９】
この結果、ヘッダー１０の分岐接続部１２の開口端部には、継手部材２０の差し口部２１が挿入されるとともに、継手部材２０に装着された袋ナット３０がねじ結合されることにより、ヘッダー１０内の水圧により分岐接続部１２の開口端部が拡開し、止水性が低下することを防止できる。また、袋ナット３０が分岐接続部１２のフランジ１６に当接してそれ以上のねじ込みが阻止される一方、袋ナット３０に設けられた一対の回り止め部材３５の各延出部３７が分岐接続部１２のフランジ１６に１８０度隔てて形成された各係止突部１６２にそれぞれ係止して緩み方向の移動が阻止されることにより、分岐接続部１２に対する袋ナット３０の回転が阻止され、内水圧による軸方向抜け力、脈動水圧による振動や衝撃などによっても、袋ナット３０が回転して緩むことがなく、継手部材２０が抜けたり、漏水が発生することを確実に防止できる。
【００８０】
しかも、継手部材２０の差し口部２１を分岐接続部１２に挿入して、工具を用いることなく袋ナット３０を略１８０度だけ回転させる簡単な操作によって、袋ナット３０を分岐接続部１２のフランジ１６に当接させるとともに、回り止め部材３５の延出部３７をフランジ１６の係止突部１６２に係止させることができることから、延出部３７と係止突部１６２との位置関係を考慮することなく接続作業をきわめて容易に行うことができる。また、袋ナット３０の過剰のねじ込みによる螺旋凸条１４および螺旋凹溝３３の破損も発生しない他、係止突部１６２と延出部３７との係止を目視観察で確認することができるとともに、回り止め部材３５が弾性変形状態から復元して、袋ナット３０に着座する際のカチッという着座音によって確認することができ、ねじ込み不足を発生することもない。
【００８１】
さらに、袋ナット３０の成形の際、回り止め部材３５を一体に形成することができ、安価に製造することができるとともに、回り止め部材を別体に設ける場合に比較して、回り止め部材の装着忘れといった施工ミスを生じることもない。
【００８２】
一方、ヘッダー１０の分岐接続部１２から継手部材２０を離脱させる場合は、一対の回り止め部材３５の各延出部３７にそれぞれ指を当てて跳ね上げるとともに、操作部３４を利用して、分岐接続部１２の螺旋凸条１４と袋ナット３０の螺旋凹溝３３との螺合を緩める方向に袋ナット３０を回転させる。これにより、袋ナット３０がフランジ１６から離隔する方向に移動し、その際、延出部３７がフランジ１６の外周面に沿って摺動しつつその側面側に滑落し、略１８０度回転すれば、分岐接続部１２の螺旋凸条１４と袋ナット３０の螺旋凹溝３３との螺合が解除される。
【００８３】
したがって、前述とは逆に、袋ナット３０をねじ込み方向とは逆方向に約１８０度回転させることにより、分岐接続部１２と袋ナット３０とのねじ結合が解消される。この後、継手部材２０の差し口部２１を分岐接続部１２より引き抜くことにより、袋ナット３０が装着された継手部材２０を分岐接続部１２から離脱させることができる。このため、現場での継手部材２０の変更、リフォーム、更新などに容易に対応することができる。
【００８４】
なお、ヘッダー本体部１１に対する接続構造も、分岐接続部１２に対する接続構造と同様に、継手部材２０および継手部材２０に回転可能に、かつ、離脱不能に装着された袋ナット３０を用いるものであり、その詳細な説明を省略する。
【００８５】
ところで、前述した実施形態においては、ヘッダー１０のヘッダー本体部１１として、一端が閉鎖されるとともに、他端が開口されたものを例示したが、図１２に示すように、両端が開口されたヘッダー本体部１１であってもよい。
【００８６】
このような両端が開口されたヘッダー１０のヘッダー本体部１１にあっては、必要に応じて閉塞キャップ４０を介して一方の開口端部を閉鎖したり、隣接するヘッダー１０におけるヘッダー本体部１１の対向する開口端部間を接続アダプター５０を用いて接続することもできる。
【００８７】
ここで、閉塞キャップ４０は、図１３に示すように、栓体４１に袋ナット３０を回転可能に、かつ、離脱不能に装着されて構成され、ヘッダー本体部１１の一方の開口端部に栓体４１を挿入した後、操作部３４を利用してヘッダー本体部１１に袋ナット３０をねじ込めばよいものである。これにより、袋ナット３０の２条の螺旋凹溝３３がヘッダー本体部１１の２条の螺旋凸条１３に螺合し、ほぼ半回転すれば、袋ナット３０のナット本体部３１の端面がヘッダー本体部１１のフランジ１５の側面に当接して周方向および軸芯方向に位置決めされ、それ以上のねじ込みが阻止される。この際、袋ナット３０の一対の回り止め部材３５の延出部３７がフランジ１５の各係止突部１５２にそれぞれ係止する。
【００８８】
したがって、ヘッダー１０におけるヘッダー本体部１１の一方の開口端部には、栓体４１が挿入されるとともに、栓体４１に装着された袋ナット３０がねじ結合されることにより、ヘッダー１０内の水圧によりヘッダー本体部１１の開口端部が拡開し、止水性が低下することを防止して、一方の開口端部を確実に閉鎖することができる。また、袋ナット３０がヘッダー本体部１１のフランジ１５に当接してそれ以上のねじ込みが阻止される一方、袋ナット３０に設けられた一対の回り止め部材３５の各延出部３７がヘッダー本体部１１のフランジ１５に１８０度隔てて形成された各係止突部１５２にそれぞれ係止して緩み方向の移動が阻止されることにより、ヘッダー本体部１１に対する袋ナット３０の回転が阻止され、内水圧による軸方向抜け力、脈動水圧による振動や衝撃などによっても、袋ナット３０が回転して緩むことがなく、栓体４１が抜けたり、漏水が発生することを確実に防止できる。
【００８９】
しかも、栓体４１をヘッダー本体部１１に挿入して、工具を用いることなく袋ナット３０を略１８０度だけ回転させる簡単な操作によって、袋ナット３０をヘッダー本体部１１のフランジ１５に当接させるとともに、回り止め部材３５の延出部３７をフランジ１５の係止突部１５２に係止させることができることから、延出部３７と係止突部１５２との位置関係を考慮することなく接続作業をきわめて容易に行うことができる。また、袋ナット３０の過剰のねじ込みによる螺旋凸条１３および螺旋凹溝３３の破損も発生しない他、係止突部１５２と延出部３７との係止を目視観察で確認することができるとともに、回り止め部材３５が弾性変形状態から復元して、袋ナット３０に着座する際のカチッという着座音によって確認することができ、ねじ込み不足を発生することもない。
【００９０】
また、接続アダプタ５０は、図１４に示すように、両端に差し口部２１，２１を有する継手部材２５にそれぞれ袋ナット３０，３０を回転可能に、かつ、離脱不能に装着されて構成され、ヘッダー本体部１１の一方の開口端部に一方の差し口部２１を挿入した後、操作部３４を利用してヘッダー本体部１１に一方の袋ナット３０をねじ込めばよい。これにより、袋ナット３０の２条の螺旋凹溝３３がヘッダー本体部１１の２条の螺旋凸条１３に螺合し、ほぼ半回転すれば、袋ナット３０のナット本体部３１の端面がヘッダー本体部１１のフランジ１５の側面に当接して周方向および軸芯方向に位置決めされ、それ以上のねじ込みが阻止される。この際、袋ナット３０の一対の回り止め部材３５の延出部３７がフランジ１５の各係止突部１５２にそれぞれ係止する。
【００９１】
次いで、同様に、接続アダプター５０の他方の差し口部２１を隣接して配置される他のヘッダー１０におけるヘッダー本体部１１の一方の開口端部に挿入し、操作部３４を利用してヘッダー本体部１１に他方の袋ナット３０をねじ込めばよい。
【００９２】
したがって、ヘッダー１０のヘッダー本体部１１の一方の開口端部には、一方の差し口部２１が挿入されるとともに、その差し口部２１に装着された一方の袋ナット３０がねじ結合されることにより、ヘッダー１０内の水圧によりヘッダー本体部１１の開口端部が拡開し、止水性が低下することを防止して、対向するヘッダー１０のヘッダー本体部１１同士を接続することができる。また、袋ナット３０がヘッダー本体部１１のフランジ１５に当接してそれ以上のねじ込みが阻止される一方、袋ナット３０に設けられた一対の回り止め部材３５の各延出部３７がヘッダー本体部１１のフランジ１５に１８０度隔てて形成された各係止突部１５２にそれぞれ係止して緩み方向の移動が阻止されることにより、ヘッダー本体部１１に対する袋ナット３０の回転が阻止され、内水圧による軸方向抜け力、脈動水圧による振動や衝撃などによっても、袋ナット３０が回転して緩むことがなく、差し口部２１が抜けたり、漏水が発生することを確実に防止できる。
【００９３】
しかも、差し口部２１をヘッダー本体部１１に挿入して、工具を用いることなく袋ナット３０を略１８０度だけ回転させる簡単な操作によって、袋ナット３０をヘッダー本体部１１のフランジ１５に当接させるとともに、回り止め部材３５の延出部３７をフランジ１５の係止突部１５２に係止させることができることから、延出部３７と係止突部１５２との位置関係を考慮することなく接続作業をきわめて容易に行うことができる。また、袋ナット３０の過剰のねじ込みによる螺旋凸条１３および螺旋凹溝３３の破損も発生しない他、係止突部１５２と延出部３７との係止を目視観察で確認することができるとともに、回り止め部材３５が弾性変形状態から復元して、袋ナット３０に着座する際のカチッという着座音によって確認することができ、ねじ込み不足を発生することもない。
【図面の簡単な説明】
【００９４】
【図１】本発明の管状接続部材と継手部材の接続構造の一実施形態を示す斜視図である。
【図２】図１の接続構造を一部省略して示す断面図である。
【図３】図１の袋ナットを示す斜視図である。
【図４】図３の袋ナットの平面図、そのＡ−Ａ線断面図である。
【図５】袋ナットの変形例を示す斜視図である。
【図６】図５の袋ナットの平面図、そのＢ−Ｂ線断面図である。
【図７】袋ナットの他の変形例を示す斜視図である。
【図８】図７の袋ナットの平面図、そのＣ−Ｃ線断面図である。
【図９】本発明の管状接続部材と継手部材の接続構造の他の実施形態を示す斜視図である。
【図１０】図９のヘッダーを示す側面図である。。
【図１１】図９の袋ナットの斜視図、平面図、そのＤ−Ｄ線断面図である。
【図１２】本発明の管状接続部材と継手部材の接続構造のもう一つの実施形態を閉塞キャップおよび接続アダプタとともに示す斜視図である。
【図１３】図１２の閉塞キャップの断面図である。
【図１４】図１２の接続アダプタの断面図である。
【符号の説明】
【００９５】
１０  ヘッダー
１１  ヘッダー本体部
１２  分岐接続部
１３，１４  螺旋凸条
１５，１６  フランジ
１５１，１６１  係合凹部
１５２，１６２  係止突部
２０，２５  継手部材
２１  差し口部
２２  管取付部
３０  袋ナット
３１  ナット本体部
３３  螺旋凹溝
３４  操作部
３５  回り止め部材
３６  可動部
３７  延出部
３８  係合爪
４０  閉塞キャップ
４１  栓体
５０  接続アダプタ
【図１】
0004589955.tif 000002
【図２】
0004589955.tif 000003
【図３】
0004589955.tif 000004
【図４】
0004589955.tif 000005
【図５】
0004589955.tif 000006
【図６】
0004589955.tif 000007
【図７】
0004589955.tif 000008
【図８】
0004589955.tif 000009
【図９】
0004589955.tif 000010
【図１０】
0004589955.tif 000011
【図１１】
0004589955.tif 000012
【図１２】
0004589955.tif 000013
【図１３】
0004589955.tif 000014
【図１４】
0004589955.tif 000015